(57)【要約】【課題】撮影範囲を適正に照明する光学機器を提供する。【解決手段】レンズ鏡筒を有する光学機器であって、レンズ鏡筒により保持される撮像光学系と、レンズ鏡筒の先端に配置される第１の照明部と、レンズ鏡筒の先端に配置され、第１の照明部とは、配光特性の異なる第２の照明部と、第１の照明部および第２の照明部の発光比率を決定する決定部と、決定に応じて第１の照明部および第２の照明部を制御する制御部と、を有する。【選択図】図４
2019128559.tif 000002
【特許請求の範囲】
【請求項１】
レンズ鏡筒を有する光学機器であって、
前記レンズ鏡筒により保持される撮像光学系と、
前記レンズ鏡筒の先端に配置される第１の照明部と、
前記先端に配置され、前記第１の照明部とは、配光特性の異なる第２の照明部と、
前記第１の照明部および前記第２の照明部の発光比率を決定する決定部と、
前記決定に応じて前記第１の照明部および前記第２の照明部を制御する制御部と、を有することを特徴とする光学機器。
【請求項２】
前記決定部は、被写体の位置に応じて、前記決定を行う、ことを特徴とする請求項１に記載の光学機器。
【請求項３】
前記決定部は、前記被写体の位置を前記撮像光学系のフォーカスレンズの位置に基づき求める、ことを特徴とする請求項２に記載の光学機器。
【請求項４】
前記決定部は、前記被写体の位置を、前記フォーカスレンズの位置を決定するための測距情報に基づき求める、ことを特徴とする請求項２に記載の光学機器。
【請求項５】
前記決定部は、ズーム位置に応じて、前記決定を行う、ことを特徴とする、請求項１に記載の光学機器。
【請求項６】
前記決定部は、前記第１の照明部および前記第２の照明部が、撮影範囲の全域に均一に光を照射するよう、前記決定を行う、ことを特徴とする請求項１乃至５のいずれか１項に記載の光学機器。
【請求項７】
前記決定部は、前記撮像光学系が取得する画像の全体が均一の明るさとなるよう、前記決定を行う、ことを特徴とする請求項１乃至５のいずれか１項に記載の光学機器。
【請求項８】
前記決定部は、絞り値を用いて、前記決定を行う、ことを特徴とする請求項７に記載の光学機器。
【請求項９】
前記第１の照明部は、前記撮影範囲の中心よりも周辺の照射強度が強く、
前記第２の照明部は、前記撮影範囲の周辺よりも中心の照射強度が強い、ことを特徴とする請求項１乃至８のいずれか１項に記載の光学機器。
【請求項１０】
前記第１の照明部および前記第２の照明部は、
光源と、
前記光源からの光を前記レンズ鏡筒の周方向および前記レンズ鏡筒の光軸方向に導く導光部材と、
前記導光部材からの光を拡散する拡散部材と、を有することを特徴とする請求項１乃至９のいずれか１項に記載の光学機器。
【請求項１１】
前記第１の照明部は、前記撮像光学系よりも径方向の外側に配置され、
前記第２の照明部は、前記第１の照明部の径方向の外側に配置され、
前記第１の照明部と前記第２の照明部は光軸を中心とした周方向に同じ位置に配置されることを特徴とする請求項１乃至１０のいずれか１項に記載の光学機器。
【請求項１２】
前記第１の照明部および前記第２の照明部は、前記撮像光学系よりも径方向の外側に配置され、
前記第１の照明部と前記第２の照明部は光軸を中心とした周方向において互いに異なる位置に配置されることを特徴とする請求項１乃至１０のいずれか１項に記載の光学機器。
【発明の詳細な説明】
【技術分野】
【０００１】
光学機器に関する。
【背景技術】
【０００２】
近年、撮影手法の一つとして被写体に近接しての撮影であるマクロ撮影が知られている。このようなマクロ撮影において、ストロボ（照明装置）などを使用して撮影した場合、被写体との距離に応じて被写体の輝度が変化してしまうという問題があった。特許文献１の撮影装置は、リング状の閃光放電管の内側に円筒状の遮光部材を設け、近接撮影領域内に被写体が位置している際でも、遮光部材により被写体に照射される余分な光を遮光し、適正な露光量を得ることを実現している。
【先行技術文献】
【特許文献】
【０００３】
【特許文献１】実公平０２−０４４２６５号公報
【発明の概要】
【発明が解決しようとする課題】
【０００４】
しかしながら、特許文献１では、被写体との距離が変化した場合であっても、被写体の輝度を適正に保つことについては開示されておらず、被写体との距離に応じて、被写体の輝度が変化しうる。つまり、特許文献１では撮影範囲を適正に照明することが困難であった。
【０００５】
本発明は、撮影範囲を適正に照明する光学機器を提供することを目的とする。
【課題を解決するための手段】
【０００６】
上記課題を解決するために、本発明は、レンズ鏡筒を有する光学機器であって、レンズ鏡筒により保持される撮像光学系と、レンズ鏡筒の先端に配置される第１の照明部と、レンズ鏡筒の先端に配置され、第１の照明部とは、配光特性の異なる第２の照明部と、第１の照明部および第２の照明部の発光比率を決定する決定部と、決定に応じて第１の照明部および第２の照明部を制御する制御部と、を有することを特徴とする。
【発明の効果】
【０００７】
本発明によれば、被写体を適正に照明する光学機器を提供することができる。
【図面の簡単な説明】
【０００８】
【図１】第１実施形態に係る光学機器としてのレンズ装置（繰出し状態）を含むカメラシステムの構成を示す断面図である。
【図２】第１実施形態に係るレンズ装置（沈胴状態）の断面図である。
【図３】レンズ処理部の構成を示す概略図である。
【図４】第１実施形態に係る照明部およびその周辺部の分解斜視図である。
【図５】従来の照明部の様子を模式的に示した図である。
【図６】第１実施形態に係る第１の照明部の照明の様子を模式的に示した図である。
【図７】第１実施形態に係る第２の照明部の照明の様子を模式的に示した図である。
【図８】第１の照明部と第２の照明部の発光比率を表した図である。
【図９】第２実施形態に係る照明部およびその周辺部の分解斜視図である。
【発明を実施するための形態】
【０００９】
以下、本発明を実施するための形態について図面などを参照して説明する。
（第１実施形態）
【００１０】
図１は、第１実施形態に係る光学機器としてのレンズ装置（繰出し状態）を含むカメラシステムの構成を示す断面図である。カメラシステム１００は、レンズ装置２００とカメラ本体３００を含む。図１は、繰出し状態にあるレンズ装置２００の断面を示している。以下の説明において、図１に示すレンズ装置２００の光軸ＡＸＬが延びる方向のうち左側を被写体側または前側といい、右側を像側または後側という。また、図２は、第１実施形態に係るレンズ装置２００（沈胴状態）断面図である。本実施形態では、レンズ交換型のカメラシステムについて説明するが、レンズ一体型カメラ（撮像装置）も本発明の実施形態に含まれる。
【００１１】
カメラ本体３００は、撮像素子３０１、測距部３０２、カメラ処理部３０３、カメラ通信部３０４を含む。カメラ本体３００は、ミラーレスデジタルカメラであってもよいし、一眼レフデジタルカメラであってもよい。また、デジタルビデオカメラであってもよい。
【００１２】
撮像素子３０１は、例えば、ＣＣＤセンサまたはＣＭＯＳセンサであって、撮像光学系により形成される被写体の光学像（被写体像）を電気信号に変換する。測距部３０２は、レンズ装置２００からの光束を用いて被写体までのデフォーカス量などの測距情報を検出する、いわゆる位相差検出型の測距ユニットである。カメラ処理部３０３は、カメラ本体３００のすべての制御を司っており、内部にはＲＡＭ、ＲＯＭ、ＥＥＰＲＯＭ等を内蔵している。カメラ通信部３０４は、後述のレンズ処理部３１と通信を行うためのＩ／Ｆ回路であって、ＡＦ制御信号、測距情報等を送受信する。
【００１３】
レンズ装置２００は、被写体の光学像（被写体像）を形成する撮像光学系を有する。本実施形態のレンズ装置２００は、被写体に近接しての撮影であるマクロ撮影が可能な単焦点マクロレンズである。また、レンズ装置２００において、可動鏡筒ユニットＡとベース鏡筒ユニットＢとによってレンズ鏡筒が構成される。撮影時には、後述するベース鏡筒ユニットＢに対して可動鏡筒ユニットＡが繰り出した繰出し状態となり、全体として先細り形状のレンズ鏡筒が形成される。一方、非撮影時には、ベース鏡筒ユニットＢに対して可動鏡筒ユニットＡが収納された（沈胴した）沈胴状態となり、撮像システムをコンパクトに持ち運ぶことが可能となる。
【００１４】
撮像光学系は、被写体側から像側に順に、前端レンズ（第１レンズ）１ａと、防振レンズ２と、前側中間レンズ１ｂと、絞りユニット３４と、後側中間レンズ１ｃと、フォーカスレンズ３と、後端レンズ４とを含む。
【００１５】
第１保持枠５は、前端レンズ１ａ、前側中間レンズ１ｂおよび後側中間レンズ１ｃを保持する。防振レンズ２は、これを保持するシフト保持枠８ａに設けられたマグネット８ｂと第１保持枠５に固定された防振ベース枠８ｃに設けられたコイル８ｄとにより構成される防振アクチュエータによって光軸ＡＸＬに直交する方向にシフトすることで手振れ補正を行う。
【００１６】
メイン保持枠１１は、可動鏡筒ユニットＡのベースである。第１保持枠５、絞りユニット３４および第１保持枠５と絞りユニット３４の外周を囲む前側鏡筒２１は、メイン保持枠１１にビスにより固定されている。前側鏡筒２１、メイン保持枠１１、第１保持枠５およびこれらに取り付けられたレンズ１ａ〜１ｃ、２、３、絞りユニット３４等によって可動鏡筒ユニットＡが構成される。前側鏡筒２１の最も被写体側である前端部分（先端）には、後述する照明部１２０が設けられている。
【００１７】
フォーカス保持枠１０は、フォーカスレンズ３を保持する。フォーカス保持枠１０は、可動鏡筒ユニットＡにおいてメイン保持枠１１に設けられた案内機構および駆動機構によって光軸ＡＸＬが延びる方向である光軸方向に移動されて焦点調節を行う。絞りユニット３４は、撮像光学系を通過して撮像素子３０１に到達する光量を調節する。
【００１８】
案内筒１４は、ベース鏡筒ユニットＢのベースであり、その周方向３箇所には光軸方向に延びる案内溝部が形成されている。カム環１６は、案内筒１４に対して、バヨネット結合により光軸方向への移動が阻止されつつ案内筒１４の外周において光軸回りで回転可能に取り付けられている。カム環１６には、可動鏡筒ユニットＡをベース鏡筒ユニットＢに対して繰出したり沈胴させたりするためのカム溝部が設けられており、メイン保持枠１１に設けられたカムフォロアがカム溝部と案内溝部とに係合している。このため、カム環１６がユーザにより回転操作されると可動鏡筒ユニットＡが光軸方向に移動する。
【００１９】
レンズ処理部３１は、レンズの駆動用ＩＣやＣＰＵ等であって、内部にはＲＡＭ、ＲＯＭ、ＥＥＰＲＯＭ等を内蔵しうる。レンズ処理部３１は、案内筒１４の後端に固定されている。図３は、レンズ処理部３１の構成を示す概略図である。レンズ処理部３１は、決定部３１１および制御部３１２を含みうる。決定部３１１は、後述する第１の照明部１１２および第２の照明部１１３の発光比率を決定する。
【００２０】
制御部３１２は、被写体照明用の光源である複数の光源素子（後述するＬＥＤ素子２７、１２７）の制御を含め、レンズ装置２００内のすべての制御を司っている。制御部３１２は、決定部３１１の決定に応じて、第１の照明部１１２および第２の照明部１１３を制御する。なお、決定部３１１および制御部３１２は別体のＣＰＵ等であっても良い。
【００２１】
図１および図２に戻り、マウント３２は、案内筒１４にビスにより固定されている。マウント３２は、後端レンズ４を保持している。レンズ装置２００は、マウント３２におけるバヨネット結合によってカメラ本体３００に装着される。マウント３２は、不図示のレンズ通信部を有し、該レンズ通信部とレンズ処理部３１とが不図示の配線（ＦＰＣ等）によって電気的に接続されている。レンズ通信部は、カメラ処理部３０３と通信を行うためのＩ／Ｆ回路であって、測距情報等を送受信する。
【００２２】
カメラ本体３００に装着されたレンズ装置２００は、レンズ通信部を通してカメラ本体３００との通信を行うことができるとともに、カメラ本体３００から電源供給を受ける。カメラ本体３００から供給された電源を用いて、レンズ装置２００の絞りユニット３４、防振アクチュエータおよび後述するフォーカスアクチュエータを動作させたり、照明部１２０を点灯させたりすることができる。
【００２３】
外装リング２９は、案内筒１４の後側外周を覆う円筒部を有し、その内周側に設けられたフランジ部が案内筒１４とマウント３２とにより挟み込まれることで固定される。マニュアルフォーカス（ＭＦ）リング１９は、案内筒１４の前側外周において光軸回りで回転可動に支持されている。ＭＦリング１９を回転させると、その回転を不図示のセンサが検出し、その回転量に応じて不図示のフォーカスモータが駆動してフォーカスレンズ３が移動する。これにより、マニュアルフォーカスが行われる。また、カメラ本体３００からのＡＦ制御信号に応じてフォーカスモータが駆動されることでもフォーカスレンズ３は移動する。これにより、オートフォーカス（ＡＦ）が行われる。
【００２４】
操作リング３５は、カム環１６にその外周面を覆うように取り付けられている。案内筒１４、カム環１６、マウント３２、外装リング２９、ＭＦリング１９および操作リング３５等によりレンズ鏡筒において径方向（光軸ＡＸＬに直交する方向）の最も外側に配置されたベース鏡筒ユニットＢが構成される。外装リング２９、ＭＦリング１９および操作リング３５は、ベース鏡筒ユニットＢにおいて径方向の最も外側に配置された最外周部材である。
【００２５】
さらに、レンズ装置２００は、不図示の照明スイッチを備える。照明スイッチは、後述するＬＥＤ素子２７、１２７（図４に図示）を点灯させたり消灯したりするためにユーザによりオン／オフ操作される。
【００２６】
次に、前側鏡筒２１の先端に設けられた照明部１２０の構成について、さらに図４を併せ用いて説明する。図４は、第１実施形態に係る照明部およびその周辺部の分解斜視図である。照明部１２０において、リング状の拡散板２２（拡散部材）と、円弧状の一対の第１のライトガイド２３（導光部材）と円弧上の一対の第２の第２のライトガイド１２３（導光部材）の計４つのライトガイド、リング状のカバー板２４とが被写体側から順に配置されている。
【００２７】
第１のライトガイド２３は、光軸ＡＸＬを中心とする円弧形状を有しており、撮像光学系よりも径方向の外側に配置される。そのさらに径方向の外側に光軸ＡＸＬを中心とする円弧形状の第２のライトガイド１２３が配置されている。第１のライトガイド２３と第２のライトガイド１２３は光軸ＡＸＬを中心とした周方向に同じ位置に配置される。さらに、一対の第１のライトガイド２３、一対の第２のライトガイド１２３のそれぞれにおける円弧方向一端には光源であるＬＥＤ素子２７、１２７が配置されている。各ＬＥＤ素子２７、１２７は、その発光面が第１のライトガイド２３、第２のライトガイド１２３の円弧方向一端面に対向するように配置されている。一対の第１のライトガイド２３とＬＥＤ素子２７と拡散板２２は、第１の照明部１１２である。また、一対の第２のライトガイド１２３とＬＥＤ素子１２７と拡散板２２は、第２の照明部１１３である。
【００２８】
ＬＥＤ素子２７、１２７は、フレキシブルプリント配線板２８上に実装され、ＬＥＤユニットを構成している。第１のライトガイド２３は、前側鏡筒２１の円弧形状の溝２１ａに取り付けられ、第２のライトガイド１２３は前側鏡筒２１の円弧形状の溝２１ｂに取り付けられる
【００２９】
拡散板２２は、前側鏡筒２１のリング状の前端部分に設けられた凹部２１ｃに前側から組み付けられ、該凹部２１ｃの底面（平面）に接着される。また、ＬＥＤユニットおよびカバー板２４は、前側鏡筒２１の前端部分に後側（裏側）から組み付けられ、２つのビス２５によって前端部分に固定される。この際、第１のライトガイド２３、第２のライトガイド１２３は、ＬＥＤ素子２７、１２７とともに凹部２１ｃの周方向２箇所に形成された円弧形状の溝２１ａ、２１ｂ内にそれぞれ配置される。これにより、第１のライトガイド２３および第２のライトガイド１２３の前面が拡散板２２の後面に対向する。また、カバー板２４の後側には、リング状のシート２６が配置される。
【００３０】
さらに、拡散板２２が配置された凹部２１ｃの径方向内側の壁を形成するリング状の円筒部２１ｄの内周面、つまりは拡散板２２よりも径方向内側には、雌ねじであるフィルタねじ２１ｅが形成されている。円筒部２１ｄの内周面の後端には、前側を向いたリング状の平面部２１ｆが設けられている。図１に示すように、平面部２１ｆの内周に形成された円形開口からは、前述した第１保持枠５のうち前端レンズ１ａを保持した部分が前側に突出する。これにより、フィルタねじ２１ｅの内周に面し、かつ前側に向かって開口する凹形状の空間Ｓが形成される。この空間Ｓを利用して不図示の光学フィルタ（保護フィルタ等のアクセサリ）の外周面に形成された雄ねじが係合することで、前端レンズ１ａを覆うように前側鏡筒２１に光学フィルタが装着される。
【００３１】
ＬＥＤ素子２７、１２７が実装されたフレキシブルプリント配線板２８は、前述したレンズ処理部３１に接続される。カメラ本体３００からの電源供給を受けたレンズ処理部３１からフレキシブルプリント配線板２８を介してＬＥＤ素子２７、１２７に通電されることでＬＥＤ素子２７、１２７が点灯する。第１のライトガイド２３は透明なアクリル材により形成されており、フレキシブルプリント配線板２８側の面２３ａには白色塗装がなされている。第２のライトガイド１２３は、透明なアクリル材により形成されており、フレキシブルプリント配線板２８側の面１２３ａおよび斜面（光軸中心を向いている斜面、図１および２参照。）１２３ｂには白色塗装がなされている。
【００３２】
ＬＥＤ素子２７から矢印Ｄ１方向に出射した照明光は、第１のライトガイド２３によってその円弧方向に導かれる。このとき、上述したように第１のライトガイド２３の白色塗装がなされた面２３ａにて照明光が反射することで面２３ａが２次光源となり、反射した照明光は第１のライトガイド２３の前面から出射して拡散板２２に入射する。これにより第１の照明部１１２は、被写体側に向かって真っすぐ（光軸と平行に）照射される特性を持つ。
【００３３】
このような構成により、第１のライトガイド２３の全体から照明光が出射し、さらに拡散板２２によって拡散されることで、均一な配光分布を有する照明光が出射する。これにより、照明光は、前端レンズ１ａに近接する被写体に対して照明むらが生じないように照射される。
【００３４】
ＬＥＤ素子１２７から矢印Ｄ２方向に出射した照明光は、第２のライトガイド１２３によってその円弧方向に導かれる。このとき、上述したように、白色塗装された面１２３ａおよび斜面１２３ｂに照明光が反射することで面１２３ａおよび斜面１２３ｂが２次光源となり、反射した照明光は第２のライトガイド１２３の前面から出射して拡散板２２に入射する。また、第２のライトガイド１２３は、斜面１２３ｂ有するため、第２の照明部１１３から出射する照明光は、より内側（光軸側）に向かって照射される特性を持つ。つまり、第１の照明部１１２の配光特性と第２の照明部１１３の配光特性は異なる。
【００３５】
このような構成により、第２のライトガイド１２３の全体から照明光が出射し、さらに拡散板２２によって拡散されることで、均一な配光分布を有する照明光が出射する。これにより、照明光は、前端レンズ１ａに近接する被写体に対して照明むらが生じないように照射される。
【００３６】
シート２６は、ウレタンやゴム等の柔らかい素材により形成されており、カバー板２４の後面に、例えば、両面テープによって固定される。シート２６は、図１に示すように、前側鏡筒２１とカバー板２４と第１保持枠５との間の隙間を埋めるようにこれらの間に挟み込まれる。これにより、レンズ鏡筒の内部に、ＬＥＤ素子２７の発光時に照明光が漏れ入ることを防止できる。また、前側鏡筒２１における上述した円形開口の内周面と該円形開口に挿入された第１保持枠５の外周面との間の隙間を通じてゴミや水滴が侵入することも防止することができる。
【００３７】
図５は、従来の照明部の様子を模式的に示した図である。位置Ｐ１、Ｐ２、Ｐ３は被写体の位置（撮影位置）示している。範囲Ｅ１、Ｅ２、Ｅ３は、被写体までの距離（撮影距離）に応じた撮影範囲を示している。範囲Ｅ１は、このレンズの最短撮影距離の位置Ｐ１での撮影範囲である。位置Ｐ１、Ｐ２、Ｐ３と撮影距離が長くなるに従い、撮影範囲は広くなる。
【００３８】
本図は、照明部１２０が、被写体側に光を照射している様子を図示している。領域１０１ａは２つの照明部１２０の光がいずれも照射されない領域で、他の領域に比べ暗くなっている。領域１０１ｂは、照明部１２０の一方の光のみが照射される領域である。領域１０１ｃは２つの照明部１２０の光が照射される領域であり、他の領域に比べ明るくなっている。
【００３９】
従来の照明において、位置Ｐ２では、撮影範囲Ｅ２の全域が領域１０１ｂにある為、光が撮影範囲Ｅ２の全域に均一に照射され、良好な照明ができる。しかし、位置Ｐ１では、撮影範囲Ｅ１の中心部が領域１０１ａにあり、周辺部が領域１０１ｂにある為、中心部は暗く周辺部は明るくなる。また、位置Ｐ３では、撮影範囲Ｅ３の中心部が領域１０１ｃにあり、周辺部が領域１０１ｂにある為、中心部は明るく、周辺部は暗くなる。したがって、従来の構成では、撮影位置Ｐ２のみでしか、均一度の高い照明が得られなかった。
【００４０】
図６、図７を用いて第１の照明部１１２および第２の照明部１１３の配光特性について説明する。なお、図６および図７は、照明の様子を模式的に示した図である為、実際とは異なる。本図では、照明の領域を第１の照明部１１２および第２の照明部１１３からの線で表現しているが、実際には照明の範囲が明確に区切られているわけではなく、境界線を境になだらかに減光している。また、第１の照明部１１２および第２の照明部１１３から照射された光は、被写体側へ進むに従い、広がるとともに、減光している。また、本図は２次元で示しているが、実際の照明では前述の第１のライトガイド２３および第２のライトガイド１２３が光軸ＡＸＬを中心とする円弧形状を示していることから、光軸を中心とした略線対称の配光特性を示す。
【００４１】
図６は、第１実施形態に係る第１の照明部１１２の照明の様子を模式的に示した図である。領域１０２ａは、２つの第１の照明部１１２の光いずれも照射されない領域で、他の領域に比べ暗くなっている。領域１０２ｂは、第１の照明部１１２の一方の光のみが照射される領域である。領域１０２ｃは、２つの第１の照明部１１２の光が照射される領域であり、他の領域に比べ明るくなっている。本実施形態において、第１の照明部１１２は、撮影範囲の中心よりも周辺の照射強度が強い構成となっている。
【００４２】
第１の照明部１１２の照明においては、位置Ｐ１では、撮影範囲Ｅ１の中心部が領域１０２ａにあり、周辺部が領域１０２ｂにある為、中心部は暗く周辺部は明るくなる。位置Ｐ２では、撮影範囲Ｅ２の中心部が領域１０２ａにあり、周辺部が領域１０２ｂにある為、中心部は暗く周辺部は明るくなる。位置Ｐ３では、撮影範囲Ｅ３の全域が領域１０１ｂにある為、光が撮影範囲Ｅ３の全域に均一に照射され、良好な照明ができる。
【００４３】
図７は、第１実施形態に係る第２の照明部１１３の照明の様子を模式的に示した図である。領域１０３ａは２つの第２の照明部１１３のいずれの光も照射されない領域で、他の領域に比べ暗くなっている。領域１０３ｂおよび領域１０３ｄは、第２の照明部１１３の一方の光のみが照射される領域である。領域１０３ｃは、２つの第２の照明部１１３の光が重なる領域であり、他の領域に比べ明るくなっている。本実施形態において、第２の照明部１１３は、撮影範囲の周辺よりも中心の照射強度が強い構成となっている。
【００４４】
第２の照明部１１３の照明においては、位置Ｐ１では、撮影範囲Ｅ１の全域が領域１０３ｂにある為、光が撮影範囲Ｅ１の全域に均一に照射され、良好な照明ができる。位置Ｐ２では、中心部が領域１０３ｃにあり、周辺部が光束から外れている為、中心は明るく周辺部が暗くなる。位置Ｐ３では、中心部が領域１０３ｃにあり、周辺部が領域１０３ｄにある為、中心は明るく周辺部は暗くなる。このように、本実施形態において、第１の照明部１１２と第２の照明部１１３は、光の射出角と配光が異なることにより、配光特性が異なる。
【００４５】
図８を用いて、決定部３１１による、第１の照明部１１２および第２の照明部１１３の発光比率の決定方法について説明する。なお、本実施形態において、決定部３１１は、被写体の位置（撮影位置）に応じて、発光比率を決定する。図８は、第１の照明部１１２と第２の照明部１１３の発光比率を表した図である。横軸に撮影距離、縦軸にそれぞれのＬＥＤ素子に流す電流比率を表している。撮影距離は、図６のｘで示したように、撮像面から被写体（撮影位置）までの距離である。位置Ｐ１まで撮影距離をｘＰ１、位置Ｐ２まで撮影距離をｘＰ２、位置Ｐ３まで撮影距離をｘＰ３とする。
【００４６】
上述したように、位置Ｐ１では、第２の照明部１１３の発光のみで、撮影範囲Ｅ１の全域に均一な照明が得られる。よって、撮影距離がｘＰ１の場合、決定部３１１は、第１の照明部１１２と第２の照明部１１３の発光比率を、第１の照明部１１２を０％、第２の照明部１１３を１００％に決定する。
【００４７】
位置Ｐ３では、第１の照明部１１２の発光のみで、撮影範囲Ｅ３の全域に均一な照明が得られる。よって、撮影距離がｘＰ３の場合、決定部３１１は、第１の照明部１１２と第２の照明部１１３の発光比率を、第１の照明部１１２を１００％、第２の照明部１１３を０％に決定する。
【００４８】
位置Ｐ２の場合は、第１の照明部１１２のみの場合は、中心が暗くなり、第２の照明部１１３のみの場合は反対に周辺が暗くなる為、この２つの照明を適切に配分することで、撮影範囲Ｅ２の全域において、より均一な照明を得ることができる。本実施形態の場合は、一例として、図８に示すようにｘＰ１、ｘＰ３で定めた比率を直線で結び、ｘＰ２の発光比率を決定している。
【００４９】
よって、位置Ｐ２の場合、撮影距離はｘＰ２となるので、決定部３１１は、第１の照明部１１２の発光を３０％、第２の照明部１１３の発光を７０％と決定する。これにより、位置Ｐ２において、単独の照明部のみで照明した場合よりもより均一な照明を得ることができる。
【００５０】
撮影距離がｘＰ３以上の場合、決定部３１１は、発光比率を第１の照明部１１２を１００％、第２の照明部１１３を０％と決定する。これは第１の照明部１１２の方が、位置Ｐ３よりも撮影距離の長い位置において、より均一な照明となっている為である。また距離が離れると、照明光の拡散により、光はより平滑化される傾向にある為、距離が離れた被写体は、元々ムラの少ない照明が得られている。
【００５１】
なお、照明をマクロ撮影用のＬＥＤライトとした場合は、距離が離れると照射強度が落ち照明効果が減る為、距離が離れたものを照射するには、ＬＥＤライトによる照明は不向きである。以上のことから、あらかじめ第１の照明部１１２で均一な照射が得られるｘＰ３の距離を、照明効果の要求される範囲の上限に設定し、ｘＰ１を最短撮影距離に設定しておいてもよい。この場合、照明の実使用範囲において、均一な照明効果を得ることが可能となる。
【００５２】
被写体（撮影範囲）の位置については、フォーカスレンズの位置からピントの合う撮影距離を定めることができる。よって、決定部３１１は、フォーカスレンズの位置に基づき発光比率を求め、各ＬＥＤ素子に流す電流値を決定することができる。なお、決定部３１１は、通信部を介して測距部３０２から測距情報を受信し、測距情報に基づき被写体の位置を求めてもよい。
【００５３】
本実施形態では、第１の照明部１１２、第２の照明部１１３の２つの照明部を備える場合について説明したが、配光特性の異なる複数の照明を設け、それぞれの発光比率の調整により、より均一な照明を得ることができればよく、これに限られない。本実施形態においては、光の射出角と配光を異ならせ、第１の照明部１１２と第２の照明部１１３の配光特性を異ならせたが、例えば、光の射出角または配光の何れか一方のみを異ならせても良いし、その他の配光特性を異ならせても良い。
【００５４】
また、本実施形態において、レンズ処理部３１により、照明部の発光比率の決定と制御を行ったが、カメラ処理部３０３により照明部の発光比率の決定と制御を行ってもよいし、いずれか一方をカメラ処理部３０３で行っても良い。
【００５５】
また、本実施形態においては、単焦点マクロレンズを用いたが、ズームレンズにも応用することが可能である。例えば、図６の撮影範囲Ｅ３がズームレンズＴＥＬＥ側の撮影範囲だったとすると、同じ撮影距離でもＷＩＤＥにすると撮影範囲が広がり、照明できる範囲の外側に撮影範囲が及んでしまう。その場合でも、より広い範囲を照明できる第２の照明部１１３の発光比率を増やすことで、ズームによる撮影範囲の変化においても、より均一な照明を得ることができる。
【００５６】
この場合、レンズ装置２００は、例えばズーム位置を検出するズーム位置検出部を備え、決定部３１１は、ズーム位置に応じて、発光比率を決定する。なお、ズーム位置検出部は、カメラ本体３００に備えられていても良い。
【００５７】
さらに、本実施形態では、撮影範囲（被写体）をより均一に照明する為に第１の照明部１１２、第２の照明部１１３の発光比率を決定したが、実際のレンズは撮影領域の周辺部によって減光していき、周辺光量落ちが発生する。周辺光量の落ち量は、フォーカス位置や絞り位置によっても変化し、絞りユニット３４が開放されている方が周辺光量落ちは大きい傾向にある。
【００５８】
よって、決定部３１１は、第１の照明部１１２、第２の照明部１１３の発光比率を、例えば絞り値を用いて、撮像光学系が取得する画像の全体が均一の明るさとなるように決定してもよい。つまり、取得画像の周辺側となる範囲をより明るく照明できるように決定すれば、最終的な撮影画像の周辺光量落ちを打ち消し、より輝度が均一な撮影画像を得ることができる。
（第２実施形態）
【００５９】
図９は、第２実施形態に係る照明部およびその周辺部の分解斜視図である。第１実施形態と同様の構成は同符号で示し、説明は省略する。本実施形態に係る第１照明部と第２照明部は、光軸ＡＸＬを中心とした周方向において互いに異なる位置に配置されている。
【００６０】
前側鏡筒２２１は、凹溝２２１ａ、２２１ｂを備える。円弧状の一対の第１のライトガイド２２３とＬＥＤ素子２２７は凹溝２２１ａに配置される。円弧状の一対の第２のライトガイド３２３とＬＥＤ素子３２７は凹溝２２１ｂに配置される。各ＬＥＤ素子２２７、３２７は、その発光面が第１のライトガイド２２３、第２のライトガイド３２３の円弧方向一端面に対向するように配置されている。
【００６１】
第１のライトガイド２２３とＬＥＤ素子２２７は第１実施形態の第１の照明部１１２に相当し、図６で示す配光特性と同等の配光特性を有する。第２のライトガイド３２３とＬＥＤ素子３２７は第１実施形態の第２の照明部１１３に相当し、図７で示す配光特性と同等の配光特性を有する。
【００６２】
本実施形態において、第１の照明部１１２は、左右に配置されており、第２の照明部１１３は上下に配置されているが、それぞれのライトガイドが円弧状になっている為、配光特性としては、光軸を中心とする軸対象の特性を持っている。いい変えると、光軸中心を通る左右方向の断面で見た場合も上下方向の断面で見た場合も、同様の配光特性を示す。本実施形態の示すような照明部の配置にした場合でも、第１実施形態で述べた例と同様の効果を得ることができる。
（その他の実施形態）
【００６３】
以上、本発明の実施の形態を説明してきたが、本発明はこれらの実施の形態に限定されず、その要旨の範囲内において様々な変更が可能である。
【符号の説明】
【００６４】
１１２      第１の照明部
１１３      第２の照明部
１２０      照明部
３１１      決定部
３１２      制御部
【図１】
2019128559.tif 000003
【図２】
2019128559.tif 000004
【図３】
2019128559.tif 000005
【図４】
2019128559.tif 000006
【図５】
2019128559.tif 000007
【図６】
2019128559.tif 000008
【図７】
2019128559.tif 000009
【図８】
2019128559.tif 000010
【図９】
2019128559.tif 000011